(57)【特許請求の範囲】
【請求項１】
複数の電線からワイヤーハーネスを製造するワイヤーハーネスの製造方法であって、
（ａ）一般電線の端部に端子を圧着した複数種類の端子付き一般電線の端部を、一般電線保持バーに並列状に設けられた複数の電線保持部に、取り出す順に個別にセットする工程と、
（ｂ）前記一般電線より長尺な長尺電線の端部に端子を圧着した端子付き長尺電線の端部を、長尺電線保持バーに並列状に設けられた複数の電線保持部に、個別にセットする工程と、
（ｃ）前記端子付き一般電線及び前記端子付き長尺電線を一緒に結束する工程と、
を備え、
前記工程（ｂ）では、一対のミニ電線保持バーが連結されて構成される前記長尺電線保持バーにおいて、前記端子付き長尺電線の一方の端部を一方の前記ミニ電線保持バーに並列状に設けられた複数の電線保持部にセットすると共に、前記端子付き長尺電線の他方の端部を他方の前記ミニ電線保持バーに設けられた複数の電線保持部にセットする、ワイヤーハーネスの製造方法。
【請求項２】
端子付き電線を支持する電線支持装置であって、
複数の電線保持部が並列状に設けられ、前記端子付き電線の各端部をそれぞれ保持する少なくとも一対の電線保持バーと、
前記一対の電線保持バーを、間隔をあけて支持する電線保持バー支持部と、
前記電線保持バー支持部により支持された前記一対の電線保持バーに保持される前記端子付き電線の中間部位を引掛けて支持可能な中間支持部と、
を備え、
前記中間支持部は、高さを調節可能に支持されている、電線支持装置。
【請求項３】
請求項２に記載の電線支持装置であって、
前記一対の電線保持バーと前記中間支持部との各間で垂れ下がる前記端子付き電線における各Ｕターン部分をそれぞれ引掛け可能な一対の引掛部をさらに備える、電線支持装置。
【請求項４】
請求項３に記載の電線支持装置であって、
前記引掛部は、基端部で支持され、先端部に向けて下方に傾斜する形状の部分を有する、電線支持装置。
【請求項５】
請求項２〜請求項４のいずれか一項に記載の電線支持装置であって、
前記電線保持バー支持部は、前記一対の電線保持バーを、前記電線保持部にセットされている前記端子付き電線の端部が上方を向くと共に前記端部を側方に取り出し可能な姿勢で支持する、電線支持装置。
【請求項６】
請求項５に記載の電線支持装置であって、
前記電線保持バー支持部は、前記一対の電線保持バーを前記電線保持部から前記端子付き電線の端部を取り出す取り出し方向を同じにして支持すると共に、前記一対の電線保持バーのうち前記取り出し方向後方側に位置する一方を前方側に位置する他方より高い位置に支持する、電線支持装置。
【請求項７】
端子付き電線の端部を保持可能な複数の電線保持部が並列状に設けられた一対の電線保持バーと、
前記一対の電線保持バーを間隔をあけて直列状に着脱可能に連結する連結部と、
を備え、
前記連結部は、
前記一対の電線保持バーを直列状に支持するレール部と、
前記レール部の長手方向における前記一対の電線保持バーの各位置を規制する位置決め部と、
を有している、連結型電線保持バー。
【請求項８】
請求項７に記載の連結型電線保持バーであって、
前記電線保持バーは、少なくとも長手方向一方の端部に前記長手方向に直交する向きに開口する凹部を有し、
前記位置決め部は、前記電線保持バーの前記凹部に係止可能な係止部を有している、連結型電線保持バー。
【発明の詳細な説明】
【技術分野】
【０００１】
ワイヤーハーネスを製造する技術に関する。
【背景技術】
【０００２】
特許文献１には、複数の電線保持部が並列状に設けられた電線保持バーを用いたワイヤーハーネスの製造方法が開示されている。このワイヤーハーネスの製造方法においては、電線を切断して端部に端子を圧着した複数種類の端子付き電線の端部を、個別に取り扱って電線保持バーの複数の電線保持部にそれぞれ作業順に応じた順で並ぶようにセットする。そして、各電線保持部にセットされた端子付き電線の端部を掴んで処理を行う。これにより、下流の作業工程における作業性を向上させている。
【先行技術文献】
【特許文献】
【０００３】
【特許文献１】特開２００９−１５２１０４号公報
【発明の概要】
【発明が解決しようとする課題】
【０００４】
上記特許文献１のワイヤーハーネスの製造方法によると、電線保持バーの複数の電線保持部に複数種類の端子付き電線の端部をセットするため、１つの電線保持バーに保持される端子付き電線の中には他の電線（一般電線）に比べて長尺な電線（長尺電線）が含まれることもある。
【０００５】
しかしながら、一般電線と長尺電線とを１つの電線保持バーに保持すると、長尺電線は一般電線に比べて大きく床に垂れ下がり、他の電線に対して又は自身で絡まってしまう恐れがある。また、垂れ下がる電線の長さが長いと、下流の作業工程において電線の取り扱いが煩雑になってしまう。
【０００６】
そこで、本発明は、ワイヤーハーネスの製造工程の作業性を向上させることを目的とする。
【課題を解決するための手段】
【０００７】
第１の態様は、複数の電線からワイヤーハーネスを製造するワイヤーハーネスの製造方法であって、（ａ）一般電線の端部に端子を圧着した複数種類の端子付き一般電線の端部を、一般電線保持バーに並列状に設けられた複数の電線保持部に、取り出す順に個別にセットする工程と、（ｂ）前記一般電線より長尺な長尺電線の端部に端子を圧着した端子付き長尺電線の端部を、長尺電線保持バーに並列状に設けられた複数の電線保持部に、個別にセットする工程と、（ｃ）前記端子付き一般電線及び前記端子付き長尺電線を一緒に結束する工程とを備える。
【０００８】
また、第１の態様は、前記工程（ｂ）では、一対のミニ電線保持バーが連結されて構成される前記長尺電線保持バーにおいて、前記端子付き長尺電線の一方の端部を一方の前記ミニ電線保持バーに並列状に設けられた複数の電線保持部にセットすると共に、前記端子付き長尺電線の他方の端部を他方の前記ミニ電線保持バーに設けられた複数の電線保持部にセットする。
【０００９】
第２の態様は、端子付き電線を支持する電線支持装置であって、複数の電線保持部が並列状に設けられ、前記端子付き電線の各端部をそれぞれ保持する少なくとも一対の電線保持バーと、前記一対の電線保持バーを、間隔をあけて支持する電線保持バー支持部と、前記電線保持バー支持部により支持された前記一対の電線保持バーに保持される前記端子付き電線の中間部位を引掛けて支持可能な中間支持部とを備える。
【００１０】
第３の態様は、第２の態様に係る電線支持装置であって、前記一対の電線保持バーと前記中間支持部との各間で垂れ下がる前記端子付き電線における各Ｕターン部分をそれぞれ引掛け可能な一対の引掛部をさらに備える。
【００１１】
第４の態様は、第３の態様に係る請電線支持装置であって、前記引掛部は、基端部で支持され、先端部に向けて下方に傾斜する形状の部分を有する。
【００１２】
また、第２の態様は、前記中間支持部は、高さを調節可能に支持されている。
【００１３】
第５の態様は、第２〜第４のいずれか一態様に係る電線支持装置であって、前記電線保持バー支持部は、前記一対の電線保持バーを、前記電線保持部にセットされている前記端子付き電線の端部が上方を向くと共に前記端部を側方に取り出し可能な姿勢で支持する。
【００１４】
第６の態様は、第５の態様に係る電線支持装置であって、前記電線保持バー支持部は、前記一対の電線保持バーを前記電線保持部から前記端子付き電線の端部を取り出す取り出し方向を同じにして支持すると共に、前記一対の電線保持バーのうち前記取り出し方向後方側に位置する一方を前方側に位置する他方より高い位置に支持する。
【００１５】
第７の態様は、連結型電線保持バーであって、端子付き電線の端部を保持可能な複数の電線保持部が並列状に設けられた一対の電線保持バーと、前記一対の電線保持バーを間隔をあけて直列状に着脱可能に連結する連結部とを備える。
【００１６】
また、第７の態様は、前記連結部は、前記一対の電線保持バーを直列状に支持するレール部と、前記レール部の長手方向における前記一対の電線保持バーの各位置を規制する位置決め部とを有している。
【００１７】
第８の態様は、第７の態様に係る連結型電線保持バーであって、前記電線保持バーは、少なくとも長手方向一方の端部に前記長手方向に直交する向きに開口する凹部を有し、前記位置決め部は、前記電線保持バーの前記凹部に係止可能な係止部を有している。
【発明の効果】
【００１８】
第１の態様に係るワイヤーハーネスの製造方法によると、端子付き一般電線の端部を一般電線保持バーの複数の電線保持部に取り出す順に個別にセットするため、結束作業を効率良く行うことができる。また、端子付き長尺電線を端子付き一般電線とは別に取り扱ってその端部を長尺電線保持バーの複数の電線保持部にセットした後に、端子付き一般電線及び端子付き長尺電線を一緒に結束するため、端子付き長尺電線を絡まりを抑制して取り扱い、端子付き長尺電線を含む結束作業をスムーズに行うことができる。これにより、ワイヤーハーネスの製造工程の作業性を向上させることができる。
【００１９】
また、第１の態様に係るワイヤーハーネスの製造方法によると、端子付き長尺電線の一方の端部を一方のミニ電線保持バーにおける複数の電線保持部にセットすると共に、端子付き長尺電線の他方の端部を他方のミニ電線保持バーにおける複数の電線保持部にセットするため、一対のミニ電線保持バー間における端子付き長尺電線の垂れ下がり部分をまとめて支持する等、後工程における端子付き長尺電線の取り扱いを容易にして、ワイヤーハーネスの製造工程の作業性をより向上させることができる。
【００２０】
第２の態様に係る電線支持装置によると、電線保持部に端子付き電線の端部がセットされた一対の電線保持バーが、電線保持バー支持部により間隔をあけて支持され、前記一対の電線保持バーに保持される端子付き電線の中間部位を中間支持部に引掛けて支持する。これにより、端子付き電線をＷ形状に支持することができるため、省スペース化を図れると共に、端子付き電線の垂れ下がりを抑制して絡みを抑制し、ワイヤーハーネスの製造工程の作業性を向上させることができる。
【００２１】
第３の態様に係る電線支持装置によると、一対の電線保持バーと中間支持部との各間で垂れ下がる各Ｕターン部分を一対の引掛部にそれぞれ引掛けることにより、垂れ下がり部分同士の絡みを抑制することができる。
【００２２】
第４の態様に係る電線支持装置によると、引掛部が基端部で支持され先端部に向けて下方に傾斜する形状の部分を有するため、Ｕターン部分が引掛部から外れることを抑制し、電線保持バーの電線保持部から端子付き電線の端部を取り出した際にだけ引掛部から外すことができる。
【００２３】
また、第２の態様に係る電線支持装置によると、中間支持部が高さを調節可能に支持されているため、端子付き電線の中間部位を支持する高さを調節して端子付き電線の床への垂れ下がりを抑制することができる。
【００２４】
第５の態様に係る電線支持装置によると、電線保持バー支持部が、一対の電線保持部にセットされている端子付き電線の端部が上方を向くと共に前記端部を側方に取り出し可能な姿勢で電線保持バーを支持するため、端子付き電線を取り出しやすい。
【００２５】
第６の態様に係る電線支持装置によると、電線保持バー支持部が、一対の電線保持バーを取り出し方向を同じにして支持すると共に、一対の電線保持バーのうち取り出し方向後方側に位置する一方を前方側に位置する他方より高い位置に支持するため、一対の電線保持バーのうち一方の電線保持部から端子付き電線の端部を取り出す際に、他方の電線保持バーへの干渉を抑制して、端子付き電線の取り出しをスムーズに行うことができる。
【００２６】
第７の態様に係る連結型電線保持バーによると、端子付き電線の端部を保持可能な複数の電線保持部が並列状に設けられた一対の電線保持バーを、連結部により間隔をあけて直列状に着脱可能連結するため、連結状態においては一般の電線保持バーと同様に扱うことができる。また、連結解除状態においては一対の電線保持バーを別々に取り扱うことができる。すなわち、連結解除状態において、端子付き電線を、その各端部を一対の電線保持バーにそれぞれ保持してその間に垂れ下がる部位を支持等して取り扱うことができる。これにより、端子付き電線が比較的長尺である場合であっても、床への垂れ下がり、絡み等を抑制して、ワイヤーハーネスの製造工程の作業性を向上させることができる。
【００２７】
また、第７の態様に係る連結型電線保持バーによると、連結部が、一対の電線保持バーを直列状に支持するレール部と、レール部の長手方向における一対の電線保持バーの各位置を規制する位置決め部とを有しているため、一対の電線保持バーの連結間隔を位置決め部によって調節することができる。そして、全体として一般の電線保持バーと同じ長さ寸法となるように連結する場合、取り扱いが便利になる。
【００２８】
第８の態様に係る連結型電線保持バーによると、位置決め部が、電線保持バーの凹部に係止可能な係止部を有しているため、一対の電線保持バーの連結状態を確実に維持することができる。
【図面の簡単な説明】
【００２９】
【図１】ワイヤーハーネスの製造工程を示す図である。
【図２】一般電線保持バーの側面図である。
【図３】連結型電線保持バーの側面図である。
【図４】連結型電線保持バーの平面図である。
【図５】ミニ電線保持バーの側面図である。
【図６】ミニ電線保持バーの平面図である。
【図７】ミニ電線保持バーにおける位置決め部の側面図である。
【図８】図７のＶＩＩＩ−ＶＩＩＩ線断面図である。
【図９】電線支持装置の斜視図である。
【図１０】電線支持装置の正面図である。
【図１１】電線支持装置の平面図である。
【図１２】電線支持装置の側面図である。
【図１３】電線保持バー支持部の斜視図である。
【図１４】図１３のＩＸ−ＩＸ線断面図である。
【図１５】変形例に係る電線支持装置の斜視図である。
【発明を実施するための形態】
【００３０】
以下、実施形態に係るワイヤーハーネスの製造方法、連結型電線保持バー及び電線支持装置について説明する。本ワイヤーハーネスの製造方法は複数の電線からワイヤーハーネスを製造する方法であり、このワイヤーハーネスの製造工程において連結型電線保持バー及び電線支持装置を用いる。
【００３１】
＜ワイヤーハーネス＞
ワイヤーハーネス１は、自動車等に設置されるワイヤーハーネスであって、電源供給及び信号伝達等を行うための複数の各種電線が配索形態で結束されて構成されている（図１参照）。このワイヤーハーネス１の製造工程においては、複数の電線をワイヤーハーネス１より小さい単位で予め結束して仮結束２を作成することがある。このワイヤーハーネス１及び仮結束２を構成する電線には、他の電線に対して比較的長尺な電線が含まれることがある。以下、これらの電線について、所定の基準寸法以下の長さ寸法のものを一般電線（前記他の電線）、基準寸法を越える長さ寸法のものを長尺電線と称する。
【００３２】
以下、一般電線と長尺電線とを含むワイヤーハーネス１の製造方法について概略的に説明する。図１の切圧セット工程には、切圧機構部９２、移載機構部９４及び循環機構部９６を有するセット切圧機９０の概略図を示している。
【００３３】
一般電線及び長尺電線は、連続的に供給される電線を所望の寸法に長尺切断して得られる。そして、一般電線及び長尺電線の各端部に端子が圧着されて、端子付き一般電線５および端子付き長尺電線７が製造される。これらの作業は、切圧機構部９２によって行われる。切圧機構部９２によって製造された端子付き一般電線５及び端子付き長尺電線７は、その端部を移載機構部９４により電線保持バーに順次セットされる。以下、端子付き一般電線５及び端子付き長尺電線７の端部とは、端子が圧着された部位に隣接する電線部分を言う。各電線保持バーに所定の端子付き一般電線５又は端子付き長尺電線７がセットされると、その電線保持バーが移載機構部９４から循環機構部９６に受け渡され、続いて次の電線保持バーに端子付き一般電線５又は端子付き長尺電線７がセットされる。循環機構部９６は、移載機構部９４から受け取った電線保持バーの一端部を片持ち状に保持し、複数の電線保持バーを無端環状（円環状又は長円環状等）の経路で並列状に移動させる。そして、移載機構部９４から循環機構部９６に受け渡される位置とは別の取り出し位置から、端子付き一般電線５又は端子付き長尺電線７が保持された電線保持バーを取り出して後の仮結束作業等に供する。
【００３４】
本ワイヤーハーネスの製造方法においては、１つの仮結束２を構成する複数の端子付き一般電線５と複数の端子付き長尺電線７を、仮結束工程より前の段階で別に取り扱って、それぞれ一般電線保持バー１０又は連結型電線保持バー２０にセットし、仮結束作業工程において、一般電線保持バー１０及び連結型電線保持バー２０から適宜端子付き一般電線５又は端子付き長尺電線７を取り出して一緒に結束し、１つの仮結束２を作成する。そして、このように作成される各仮結束２及び他の電線等を組み合わせてワイヤーハーネス１を組み立てる。なお、ワイヤーハーネス１の製造方法については、各構成の説明の後で詳述する。
【００３５】
以下、ワイヤーハーネス１の製造工程において用いる一般電線保持バー１０、連結型電線保持バー２０及び電線支持装置５０の構成について説明する。
【００３６】
＜一般電線保持バー＞
一般電線保持バー１０は、端子付き一般電線５の端部を保持可能な電線保持部１２が並列状に複数設けられ、該端子付き一般電線５の端部を並列状に保持する部材である（図２参照）。この一般電線保持バー１０は、複数の電線保持部１２と、バー本体部１５とを備えている。
【００３７】
電線保持部１２は、端子付き一般電線５の端部を保持する部分であり、一対の弾性挟持片１３と、挟持片固定部１４とを有している。
【００３８】
弾性挟持片１３は、板状金属材料を打抜き及び屈曲等することにより形成された部材であり、基端側の平坦部と先端側の湾曲部とを有している。より具体的には、平坦部が平板状に形成されると共に、湾曲部が前記平坦部から連続してなだらかなＳ字状に湾曲する形状に形成されている。
【００３９】
挟持片固定部１４は、一対の弾性挟持片１３を支持する部分であり、合成樹脂等で全体として略直方体状に形成されている。挟持片固定部１４は、一対の弾性挟持片１３の先端部が離間する姿勢で平坦部を重ね合わせた状態（背合わせ）で支持可能に構成されている。より具体的には、挟持片固定部１４は、一端面で開口し、その開口部を通じて一対の弾性挟持片１３を嵌入可能な凹部を有する。挟持片固定部１４の内部には、奥側に一対の弾性挟持片１３の平坦部を重ね合わせた状態で挟持状に支持する壁部が形成されている。そして、挟持片固定部１４は、嵌入された一対の弾性挟持片１３を、湾曲部における先端部付近の一部分が互いに近接してその間隔が端子付き一般電線５における一般電線の直径より小さい間隔（接触する場合を含む）で配置される状態で支持する。
【００４０】
そして、一対の弾性挟持片１３間に端子付き一般電線５の端部を押し込むことにより、該端部が一対の弾性挟持片１３の湾曲部における近接した部位と挟持片固定部１４の開口側端面との間で保持される。
【００４１】
なお、端子付き一般電線５の端部を保持する構成は上記例に限られない。例えば、櫛歯状の部材を設けて、端子付き一般電線５の端部を押し込んで引掛けることにより保持する構成等であってもよい。
【００４２】
バー本体部１５は、本体基部１６と一対の端部部材１８とを有している。
【００４３】
本体基部１６は、棒状（ここでは角柱棒状）に形成され、その長手方向に沿った一側面に上記複数の電線保持部１２が並列状に支持されている。より具体的には、本体基部１６は、一対の弾性挟持片１３が対向する方向に複数の電線保持部１２が並ぶ形態で、前記複数の電線保持部１２を支持する。例えば、複数の電線保持部１２を本体基部１６に支持する構成としては、複数の電線保持部１２が断面視Ｔ字状の突出部を有すると共に、本体基部１６がその長手方向に沿って形成された段面視Ｔ字状の空間を有する溝部を有し、前記突出部が溝部の端部からその溝部内に挿入されて支持される構成を採用することができる。他にも、電線保持部１２を本体基部１６に対して個別にねじ止め又は凹凸嵌め込み構造等で固定する構成等を採用してもよい。
【００４４】
一対の端部部材１８は、本体基部１６の長手方向両端部にねじ止め等により固定される部分であり、本体基部１６に支持された複数の電線保持部１２をその並列方向両側から挟み込むように固定する。また、一対の端部部材１８は、電線保持部１２における一対の弾性挟持片１３が突出する側の端面（図２の上側の面）で開口する係止用凹部１９を有している。この係止用凹部１９は、循環機構部９６による一般電線保持バー１０の保持の際の抜止め等に利用される部分である。
【００４５】
＜連結型電線保持バー＞
連結型電線保持バー２０は、端子付き長尺電線７の端部を保持する部材であり、ミニ電線保持バー２１と、連結部３１とを有している（図３、図４参照）。
【００４６】
ミニ電線保持バー２１は、端子付き長尺電線７の端部を保持可能な複数の電線保持部２２が並列状に設けられ、該端子付き長尺電線７の端部を並列状に保持する部材である（図５、図６参照）。このミニ電線保持バー２１は、上述した一般電線保持バー１０と基本的に同様の構成を有しているため、その部分については簡単に説明する。すなわち、ミニ電線保持バー２１は、バー本体部２５の本体基部２６に複数の電線保持部２２が並列状に支持されると共に、本体基部２６の両端に一対の端部部材２８が固定されている。電線保持部２２は、挟持片固定部２４に一対の弾性挟持片２３が嵌入されて構成され、挟持片固定部２４の開口部から突出する一対の弾性挟持片２３の先端部間に端子付き長尺電線７の端部を挟んで該端子付き長尺電線７を保持する。
【００４７】
また、一対の端部部材２８は、一般電線保持バー１０の係止用凹部１９と同様に、電線保持部２２における一対の弾性挟持片１３が突出する側の端面（図５上側の面）で開口する係止用凹部２９を有している。この係止用凹部２９は、循環機構部９６による一般電線保持バー１０の保持の際の抜止め等に利用されると共に、後述する連結部３１の係止部３７が係止して一対のミニ電線保持バー２１の連結状態の維持に利用される。
【００４８】
もっとも、連結部３１の係止部３７が係止する係止用凹部２９としては、ミニ電線保持バー２１の長手方向において係止部３７が係止可能であればよく、該ミニ電線保持バー２１における少なくとも長手方向一方の端部（すなわち一方の端部部材２８）に前記長手方向に直交する向きに開口する凹状に形成されていればよい。
【００４９】
また、バー本体部２５は、本体基部２６の複数の電線保持部２２が支持される側と反対側の側面で開口し、その長手方向に沿って本体基部２６及び一対の端部部材２８に亘って形成されたガイド用溝部２７を有している。ガイド用溝部２７は、開口部より奥側の部位が幅広に設定された溝条に形成されている。ここでは、ガイド用溝部２７は、バー本体部２５の長手方向に直交する断面視において略Ｔ字状の空間を有する（図８参照）。このガイド用溝部２７は、後述する連結部３１のレール部３２におけるサブレール部３４に嵌り合う部分である。
【００５０】
連結部３１は、一対のミニ電線保持バー２１を間隔をあけて直列状に着脱可能に連結する部材である（図３、図４参照）。この連結部３１は、レール部３２と、位置決め部３５とを有している。
【００５１】
レール部３２は、一対のミニ電線保持バー２１を直列状に支持する部分である。レール部３２は、レール本体部３３とサブレール部３４とを有している。
【００５２】
レール本体部３３は、ミニ電線保持バー２１の本体基部２６側の端部を内部に配設可能な（ここでは、ミニ電線保持バー２１の幅寸法より僅かに大きい幅寸法の）溝状に形成されている（図８参照）。そして、一対のミニ電線保持バー２１は、このレール本体部３３の長手方向に間隔をあけてその両端側の部位に支持される。なお、ここでは、レール本体部３３は、直列状に配置される一対のミニ電線保持バー２１における対向する各端部を含む一部分をそれぞれ支持する。
【００５３】
サブレール部３４は、レール本体部３３に支持されるミニ電線保持バー２１を、主として該レール本体部３３の深さ方向に位置規制する部分である。サブレール部３４は、レール本体部３３の底部における内面から開口部に向けて突出する凸形状に形成され、レール本体部３３の長手方向両端付近の部位にそれぞれ設けられている（図３、図８参照）。より具体的には、サブレール部３４は、レール本体部３３の長手方向に沿って延在すると共に、基端部より先端部が幅広に設定された凸条に形成されている。ここでは、サブレール部３４は、延在方向に直交する断面視において略Ｔ字状に形成されている。また、サブレール部３４の外形は、ミニ電線保持バー２１のガイド用溝部２７の内部空間より僅かに小さく設定されている。
【００５４】
そして、ミニ電線保持バー２１を、レール部３２に対してその端部からガイド用溝部２７内にサブレール部３４が挿入される形態でセットすると、該ミニ電線保持バー２１は、レール部３２の長手方向にスライド移動可能、且つ、該長手方向に直交する方向に移動規制された状態で支持される。
【００５５】
上記レール部３２は、金属材料の押し出し成形等によりレール本体部３３とサブレール部３４とが別個に形成されてねじ止め等により固定されて構成されるとよい。例えば、レール部３２は、レール本体部３３がアルミニウム（又はアルミニウム合金）、サブレール部３４がステンレス鋼で形成されているとよい。もっとも、レール部３２は、合成樹脂材料により形成されていてもよい。
【００５６】
位置決め部３５は、レール部３２の長手方向における一対のミニ電線保持バー２１の位置をそれぞれ規制する部分であり、ここでは一対設けられている（図３、図７参照）。この位置決め部３５は、位置決め本体部３６と、係止部３７とを有している。
【００５７】
位置決め本体部３６は、レール部３２に支持されるミニ電線保持バー２１の一方の端部に当接して、レール部３２の長手方向におけるミニ電線保持バー２１の位置を規制する部分である。より具体的には、位置決め本体部３６は、レール本体部３３内に部分的に配設され、その底部にねじ止め等により固定されている。この位置決め本体部３６は、レール部３２の端部側に向かう当接面を有している。位置決め本体部３６は、この当接面に対して、レール部３２に支持されるミニ電線保持バー２１の一方の端部が当接することにより、該ミニ電線保持バー２１の位置を規制する（図７参照）。
【００５８】
係止部３７は、ミニ電線保持バー２１を、位置決め本体部３６により位置規制される位置に保持するための構成である。係止部３７は、ミニ電線保持バー２１の係止用凹部２９に係止可能に形成されている。より具体的には、係止部３７は、全体として棒状（ここでは角柱棒状）に形成されると共に、その先端部において、側方に突出する係止爪部３８を有している。係止爪部３８は、係止部３７の先端部から基端部に向けて徐々に突出寸法が大きくなる形状（ここでは断面視略三角形状）に形成されている。すなわち、係止爪部３８は、その基端部に、係止部３７の後述する係止姿勢で上記当接面に対向する係止面を有し、この係止面が係止用凹部２９の壁面に対してレール部３２の長手方向に対向して当接することにより係止状態となる。また、係止爪部３８は、係止部３７の係止姿勢において、レール部３２にセットされる際にミニ電線保持バー２１の端縁部に押される傾斜面を有している。
【００５９】
係止部３７は、係止爪部３８がレール部３２に支持されて位置決め本体部３６の当接面に当接したミニ電線保持バー２１の係止用凹部２９内に進入する係止姿勢と、係止用凹部２９から退出した非係止姿勢との間で姿勢変更可能に位置決め本体部３６に対して支持されている。ここでは、係止部３７は、位置決め本体部３６に対して、中間部でレール部３２の幅方向に沿った軸部周りに回転動作可能に支持されている。なお、係止部３７の回転動作は、その周囲の位置決め本体部３６の壁部により規制され、係止姿勢と非係止姿勢との間において、係止部３７の先端部（係止爪部３８）が近似的にレール本体部３３の深さ方向に移動するように設定されている。
【００６０】
この係止部３７は、位置決め本体部３６の内部に配置された付勢部３９により、非係止姿勢から係止姿勢に姿勢変更する向きに付勢されている。より具体的には、付勢部３９は、係止部３７の基端部をレール部３２から離間する向きに付勢している。ここでは、付勢部３９として、スプリングプランジャ（ピンプランジャ）を採用している。もっとも、付勢部３９としては、コイルバネ、板バネ又はゼンマイバネ等を用いてもよい。
【００６１】
また、連結型電線保持バー２０は、全体として一般電線保持バー１０と略同じ長手寸法となるように設定されている（図３参照）。より具体的には、連結部３１は、連結型電線保持バー２０の両端部に位置する一対のミニ電線保持バー２１の各端部間の距離が、一般電線保持バー１０の両端部間の距離と略同じとなる間隔で、一対のミニ電線保持バー２１を連結する。すなわち、連結部３１は、レール部３２の長手方向において、一対のミニ電線保持バー２１を上記間隔で位置規制する位置に位置決め部３５が設けられて構成されている。
【００６２】
＜電線支持装置＞
次に、電線支持装置５０について説明する（図９〜図１４参照）。電線支持装置５０は、端子付き長尺電線７を支持するための構成である。この電線支持装置５０は、本体部５２と、一対のミニ電線保持バー２１と、一対の電線保持バー支持部６０と、中間支持部７０と、一対の引掛部８０とを備えている。
【００６３】
本体部５２は、電線保持バー支持部６０、中間支持部７０及び引掛部８０を支持する部分である。本体部５２は、合成樹脂材料又は金属材料により形成されるパイプ部材とジョイント部材とを組み合わせて構成されたフレーム構造を有している。また、本体部５２は、その下端部に床面（平面であるものとする）に対して略平行となる姿勢で設けられた板状（ここでは矩形板状）の電線受け部５４を有している。また、本体部５２は、電線受け部５４の下部にキャスター５８を有し、床上を移動可能に構成されている。この本体部５２は、全体として側面視略Ｌ字形状に形成されている。
【００６４】
以下、電線支持装置５０について、電線受け部５４の一対の側辺に沿った方向を奥行方向（図１１の上下方向且つ図１２の左右方向）、他の一対の側辺に沿った方向を幅方向（図１０、図１１の左右方向）、床面に対して直交する方向を高さ方向（図１０、図１２の上下方向）と称する。また、奥行方向において、作業者の作業スペースとなる側を手前側（図１１の下側且つ図１２の左側）、その反対側を奥側（側面視略Ｌ字形状の本体部５２の背面側）と呼ぶことがある。そして、奥行方向手前側から奥側を見たのが正面である。
【００６５】
一対のミニ電線保持バー２１は、上述した連結型電線保持バー２０における連結部３１から外された一対のミニ電線保持バー２１である（図５、図６参照）。ここでは、２対のミニ電線保持バー２１に保持される端子付き長尺電線７を支持する例で説明する。
【００６６】
電線保持バー支持部６０は、一対のミニ電線保持バー２１を、間隔をあけて支持する部分である。この電線保持バー支持部６０は、ミニ電線保持バー２１を１つずつ支持する構成であり、ここでは２対のミニ電線保持バー２１を保持するために２対設けられている。電線保持バー支持部６０は、支持基部６２と、押え部６４と、抜止め部６６とを有している（図１３参照）。
【００６７】
支持基部６２は、ミニ電線保持バー２１を載置状に支持する部位である。より具体的には、支持基部６２は、略長方形の載置面を有すると共に、その一側縁部に立設された側壁部６３を有している。この支持基部６２は、複数の電線保持部２２が幅方向一方を向く（ここでは、ミニ電線保持バー２１の幅方向が高さ方向に略平行になる）姿勢で、ミニ電線保持バー２１を支持する。なお、電線保持バー支持部６０によるミニ電線保持バー２１の支持姿勢については、固定用ブラケット６８の説明と共に後で詳述する。
【００６８】
支持基部６２の幅寸法は、ミニ電線保持バー２１の本体基部２６と電線保持部２２とを結ぶ方向の寸法の半分より大きく、本体基部２６側の端部から電線保持部２２の挟持片固定部２４の先端部までの寸法以下の寸法に設定されているとよい。すなわち、支持基部６２上に支持されるミニ電線保持バー２１の弾性挟持片２３における挟持片固定部２４の先端部から突出する部分は、支持基部６２の側方に張り出す。また、支持基部６２の長手寸法は、ミニ電線保持バー２１の長手寸法の半分より大きい寸法に設定されているとよい。もっとも、支持基部６２の寸法は上記の寸法に限られるものではない。
【００６９】
押え部６４は、支持基部６２上に支持されるミニ電線保持バー２１の上方への移動（浮き等）を規制する部分である。この押え部６４は、支持基部６２の基端側の一部分の上方に対向する壁部を有する。すなわち、ミニ電線保持バー２１は、その長手方向一方側の端部を含む一部分（主として端部部材２８）が支持基部６２と押え部６４とに挟まれる位置に配設される。
【００７０】
抜止め部６６は、電線保持バー支持部６０に支持されるミニ電線保持バー２１の抜け出しを抑制するための部分である（図１４参照）。支持基部６２及び押え部６４における対向する箇所において、支持基部６２又は押え部６４から両者に囲まれる空間内に突出する凸形状に形成されている。ここでは、抜止め部６６は、押え部６４の内面から、支持基部６２に向けて突出している。
【００７１】
この抜止め部６６は、ミニ電線保持バー２１の側面で開口する抜止用凹部２９ａ内に配設されることにより、ミニ電線保持バー２１が支持された状態を維持する。ここで、ミニ電線保持バー２１の抜止用凹部２９ａは、バー本体部２５における少なくとも一方の端部部材２８の少なくとも一方の側面に形成されている。ここでは、抜止用凹部２９ａは、両方の端部部材２８の両面に形成されている。
【００７２】
もっとも、ミニ電線保持バー２１の電線保持バー支持部６０からの抜け出しを抑制する構成は、上記の構成に限られない。例えば、抜止め部６６は、支持基部６２の内面から、押え部６４に向けて突出していてもよい。また、ミニ電線保持バー２１において抜止用凹部２９ａが係止用凹部２９と兼用され、抜止め部６６がこの係止用凹部２９内に配設可能な位置に形成されていてもよい。また、ミニ電線保持バー２１及び電線保持バー支持部６０における抜止め構造の凹凸関係が逆であってもよい。
【００７３】
電線保持バー支持部６０は、固定用ブラケット６８により、本体部５２に対して固定されている。固定用ブラケット６８は、板状の金属材料を屈曲等して形成され、本体部５２のパイプ部材に固定可能な部材である。より具体的には、固定用ブラケット６８は、帯板状の金属材料が、中間部に輪部を有すると共に、端部同士が重ね合わされてねじ止めされた側面視略Ｐ字形状に形成されている。
【００７４】
そして、電線保持バー支持部６０は、固定用ブラケット６８に対してねじ止め等により固定される。また、固定用ブラケット６８は、本体部５２に対する固定箇所、固定姿勢及び電線保持バー支持部６０の固定姿勢を変更することにより、高さ位置及び奥行方向に対する傾斜角等を調節して電線保持バー支持部６０を支持することができる（図９、図１３参照）。以下、電線保持バー支持部６０の支持態様について説明する。
【００７５】
ここでは、一対の電線保持バー支持部６０は、端子付き長尺電線７の各端部を保持する一対のミニ電線保持バー２１を、複数の電線保持部２２にセットされている端子付き長尺電線７の端部が上方を向くと共に前記端部を側方に取り出し可能な姿勢で支持するように構成されている（図１１参照）。ここで、端子付き長尺電線７の端部が上方を向くとは、電線支持装置５０の高さ方向に沿った姿勢に限らず、前記高さ方向に対して傾斜して上方を向く姿勢も含むものとする。また、端部を側方に取り出し可能とは、電線支持装置５０の幅方向に沿って取り出す場合に限らず、前記幅方向に対して傾斜する向きで側方に取り出し可能である場合も含むものとする。
【００７６】
また、一対の電線保持バー支持部６０は、一対のミニ電線保持バー２１を、電線保持部２２から端子付き長尺電線７の端部を取り出す取り出し方向Ｐを略同じにして支持する。すなわち、一対の電線保持バー支持部６０は、平行に設けられている。なお、ここでは、他の一対の電線保持バー支持部６０も、上記一対の電線保持バー支持部６０と平行に設けられている。
【００７７】
また、電線保持バー支持部６０は、平面視において電線支持装置５０の奥行方向に対して傾斜する姿勢で設けられている。より具体的には、電線保持バー支持部６０は、ミニ電線保持バー２１を、電線保持部２２が電線支持装置５０の奥行方向手前側に向けて側方に傾斜する向きに指向する姿勢で支持する（図１１参照）。すなわち、この姿勢は、ミニ電線保持バー２１に保持されている端子付き長尺電線７の端部を、斜め手前側に取り出すことができる姿勢である。ここでは、電線保持バー支持部６０は、平面視において、支持基部６２の長手方向が電線支持装置５０の奥行方向に対して２０度傾斜する姿勢で設けられている。
【００７８】
また、一対の電線保持バー支持部６０は、一対のミニ電線保持バー２１のうち取り出し方向Ｐ後方側に位置する一方を取り出し方向Ｐ前方側に位置する他方より高い位置に支持する（図１０、図１３参照）。すなわち、一対の電線保持バー支持部６０は、異なる高さ位置で固定用ブラケット６８により本体部５２に固定されている。これにより、電線保持バー支持部６０に支持されたミニ電線保持バー２１の電線保持部２２から端子付き長尺電線７の端部を取り出す際に、作業者の手の動作スペースを確保することができ、隣の電線保持バー支持部６０に対する手のぶつかり等を抑制することができる。また、ここでは、他の一対の電線保持バー支持部６０も一対の電線保持バー支持部６０と異なる高さ位置に支持され、１対の電線保持バー支持部６０は正面視において階段状に設けられている（図１０参照）。
【００７９】
もっとも、電線保持バー支持部６０は、同じ高さ位置に固定され、各ミニ電線保持バー２１を同じ高さ位置に支持する構成であってもよい。また、電線保持バー支持部６０は、平面視において、電線支持装置５０の奥行方向に沿った姿勢で固定され、各ミニ電線保持バー２１の電線保持部２２を電線支持装置５０の幅方向に指向させる構成であってもよい。また、電線保持バー支持部６０は、ミニ電線保持バー２１を、電線保持部２２を上方に指向させる姿勢で支持する構成であってもよい。また、電線保持バー支持部６０は、先端部が下方に向けて傾斜する姿勢で固定され、ミニ電線保持バー２１を電線支持装置５０の奥行方向手前側に向けて下方に傾斜させる姿勢で支持する構成であってもよい。
【００８０】
中間支持部７０は、一対の電線保持バー支持部６０に支持された一対のミニ電線保持バー２１に保持される端子付き長尺電線７の中間部位を引掛けて支持する部分である（図１０参照）。すなわち、端子付き長尺電線７は、一対のミニ電線保持バー２１及び中間支持部７０によって正面視略Ｗ形状に支持される。
【００８１】
中間支持部７０は、主として端子付き長尺電線７が引っ掛けられる棒状部７２の先端部に、端子付き長尺電線７の棒状部７２からの脱落を防止するための脱落防止部７４が設けられた構成である。より具体的には、棒状部７２は、円筒（又は円柱）棒状に形成され、その周面に沿って端子付き長尺電線７が引掛けられる部分である。また、脱落防止部７４は、棒状部７２の先端部でその外周側に張り出す形状に形成されている。より具体的には、脱落防止部７４は、棒状部７２の先端部に外嵌めされ、棒状部７２より大きい断面形状の円板部分を有している。すなわち、棒状部７２に引掛けられる端子付き長尺電線７は、脱落防止部７４の円板部分の基端側の面に当接して脱落を抑制される。
【００８２】
また、中間支持部７０は、平面視において一対の電線保持バー支持部６０の中間位置に設けられると共に、一対の電線保持バー支持部６０より高い高さ位置に設けられている。そして、中間支持部７０は、一対の電線保持バー支持部６０と平行な姿勢で設けられている。ここでは、棒状部７２が、高さ位置を調節可能に本体部５２に固定される高さ調節部７６により、その基端部で片持ち状に支持されることによって、中間支持部７０が上記位置及び姿勢で設けられている。
【００８３】
高さ調節部７６は、本体部５２のうち、高さ方向に沿って設けられるパイプ部材に対してスライド移動可能且つ位置を維持可能に取り付けられている（図１０、図１１参照）。例えば、高さ調節部７６は、前記パイプ部材に嵌められる筒状のスライド部材と、スライド部材において内周側に弾性変形可能に形成された雄ネジ部に対して締め付け可能に設けられる雌ネジ部材との組合せを採用することができる。すなわち、雌ネジ部材を緩めた状態でスライド部材を高さ方向に移動させ、雌ネジ部材を締め付けることにより、雄ネジ部を内周側に弾性変形させてスライド部材の高さ位置を維持する。また、雌ネジ部材を緩めた状態で、本体部５２に対してスライド部材を回転させることにより、中間支持部７０の姿勢を調節することができる。
【００８４】
もっとも、高さ調節部７６は、上記構成に限られず、筒状のスライド部材の内部に突出可能に設けられる雄ネジ部材を締め付けることにより、スライド部材が嵌められるパイプ部材に雄ネジ部材の先端部が押し当てられて高さ位置を維持する構成を採用することもできる。
【００８５】
また、中間支持部７０は、脱落防止部７４が省略されて、棒状部７２が基端部から先端部に向けて上方に傾斜する姿勢で支持されることにより、棒状部７２からの端子付き長尺電線７の脱落を抑制するように構成されていてもよい。
【００８６】
一対の引掛部８０は、一対のミニ電線保持バー２１と中間支持部７０との各間で垂れ下がる端子付き長尺電線７における各Ｕターン部分を引掛け可能に形成された部分である（図１０、図１２参照）。この引掛部８０は、引掛基部８２と、湾曲部８４とを有している。
【００８７】
引掛基部８２は、端子付き長尺電線７のＵターン部分が引掛けられる部分であり、棒状（ここでは円筒又は円柱棒状）に形成され、平面視において奥行方向に沿って設けられている（図１１参照）。この引掛基部８２は、その基端部が本体部５２に支持されている。ここでは、引掛基部８２は、先端部に向けて（電線支持装置５０の奥行方向手前側に向けて）徐々に下方に傾斜する姿勢で支持されている（図１２参照）。湾曲部８４は、引掛基部８２の先端部に連続し、下方に凸となる弧状に湾曲した棒状（ここでは円筒又は円柱棒状）に形成されている。
【００８８】
ここでは、引掛部８０は、略Ｕ字形状に組まれたパイプ部材により構成され、その両端部が下記の姿勢で本体部５２に固定されている。すなわち、引掛部８０を構成する略Ｕ字形状のパイプ部材は、底部側を電線支持装置５０の奥行方向手前側に向ける姿勢で、且つ、一対の対向する直線部分を側面視において前記奥行方向手前側に向けて下方に傾斜させる姿勢で本体部５２に固定されている。この略Ｕ字形状に組まれたパイプ部材において、一対の対向する直線部分の下方に位置する部分が引掛基部８２であり、そこから底部に連続する曲線状部分が湾曲部８４である。
【００８９】
そして、端子付き長尺電線７の各Ｕターン部分が一対の引掛部８０の下方を通る状態で、高さ調節部７６により中間支持部７０の高さ位置を調節して該Ｕターン部分が引掛部８０の引掛基部８２の基端部付近に引掛けられるようにする。これにより、引掛部８０に引掛けられた端子付き長尺電線７は、端部がミニ電線保持バー２１の電線保持部２２に保持された状態では抜け出し不能な状態に維持される。すなわち、引掛基部８２は先端部が下方に傾斜して形成されているため、基端部に引掛けられる端子付き長尺電線７のＵターン部分は、引掛基部８２の先端部側に移動を規制される。このため、端部がミニ電線保持バー２１の電線保持部２２から取り出されない限り、端子付き長尺電線７のＵターン部分は引掛部８０から外れることを抑制される。換言すると、端部を電線保持部２２から取り出した端子付き長尺電線７だけを引掛部８０から外して取り出すことができる。図１２には、引掛部８０における引掛基部８２の基端部付近に引っ掛けられている端子付き長尺電線７と、一方の端部がミニ電線保持バー２１の電線保持部２２から取り出された端子付き長尺電線７とを二点鎖線で示している。また、引掛部８０から外される端子付き長尺電線７のＵターン部分は、引掛基部８２の先端部に連続する湾曲部８４に沿ってスムーズに取り出される。
【００９０】
また、電線支持装置５０は、一対の引掛部８０の側方に、側方への端子付き長尺電線７の飛び出しを抑制するサイドガイド部５９を有していてもよい。このサイドガイド部５９は、板状に形成され、電線支持装置５０の幅方向に直交する姿勢から、高さ方向に沿った軸周りにそれより外側に開いた姿勢に姿勢変更可能に設けられている。
【００９１】
これまで、電線支持装置５０について、２対のミニ電線保持バー２１に保持された端子付き長尺電線７を支持する構成を例に挙げて説明してきたが、他にも、３対以上の複数対のミニ電線保持バー２１に保持される端子付き長尺電線７を支持する構成も採用できる。例えば、図１５に示す４対のミニ電線保持バー２１に保持された端子付き長尺電線７を支持する電線支持装置１５０は、本体部１５２に、電線支持装置５０における一対の電線保持バー支持部６０、中間支持部７０及び一対の引掛部８０を、左右対称に設けて構成することができる。すなわち、２組の２対の電線保持バー支持部６０及び２つの中間支持部７０が、それぞれ幅方向外側に先端部を向けて奥行方向に対して傾斜する姿勢で設けられる。もっとも、４対の電線保持バー支持部６０及び４つの中間支持部７０は、全て同方向に傾斜する姿勢で支持されてもよい。
【００９２】
また、電線支持装置５０に端子付き長尺電線７を支持する例で説明したが、端子付き一般電線５を支持してもよい。
【００９３】
本電線支持装置５０は、切圧セット工程の後、端子付き長尺電線７を仮結束工程に供給するほか、中間処理工程、本結束工程（ワイヤーハーネス組立工程）等に端子付き長尺電線７を供給する用途に用いることができる。
【００９４】
＜ワイヤーハーネスの製造方法＞
次に、ワイヤーハーネス１の製造方法について、上記連結型電線保持バー２０及び電線支持装置５０を用いた例で説明する（図１参照）。
【００９５】
まず、電線が長尺、切断されて得られた一般電線及び長尺電線の端部に端子が圧着されて端子付き一般電線５及び端子付き長尺電線７が製造される。この作業は、調尺切断機口部及び端子圧着機構部を備える切圧機構部９２により行われるとよい。
【００９６】
端子付き一般電線５は、一般電線保持バー１０にセットされる。より具体的には、複数種類の端子付き一般電線５の端部を一般電線保持バー１０の複数の電線保持部１２に取り出す順に並ぶように個別にセットする（工程（ａ）、図２参照）。ここで、取り出す順とは、仮結束工程において、端子付き一般電線５における端子をコネクタハウジング等に挿入する順等の作業順である。また、１つの一般電線保持バー１０には、１つの仮結束２を作成するために用いられる複数種類の端子付き一般電線５が保持されるとよい。
【００９７】
端子付き長尺電線７は、連結型電線保持バー２０にセットされる。より具体的には、端子付き長尺電線７の端部を連結型電線保持バー２０の複数の電線保持部にセットする（工程（ｂ））。ここでは、端子付き長尺電線７の一方の端部を一対のミニ電線保持バー２１のうちの一方のミニ電線保持バー２１における複数の電線保持部２２にセットすると共に、端子付き長尺電線７の他方の端部を他方のミニ電線保持バー２１における複数の電線保持部２２にセットする（図３参照）。ここで、複数の端子付き長尺電線７は、両端部が一対のミニ電線保持バー２１両方において同じ順に並ぶようにセットされるとよい。例えば、直列状に連結される一対のミニ電線保持バー２１において、循環機構部９６側から切圧機構部９２側に順に並ぶようにセットできる。すなわち、一対のミニ電線保持バー２１を並列状に保持すると、保持された端子付き長尺電線７を、互いに交差せずに並列状に延在させて支持することができる。また、１つの連結型電線保持バー２０に対しては、１種類又は電線部分の長さ寸法が同じ又は近い種類の端子付き長尺電線７が保持されるとよい。
【００９８】
上記端子付き一般電線５の端部及び端子付き長尺電線７の端部を電線保持部１２、２２にセットする作業は、移載機構部９４により行われるとよい。
【００９９】
端子付き一般電線５が保持された一般電線保持バー１０及び端子付き長尺電線７が保持された連結型電線保持バー２０を、移載機構部９４から循環機構部９６に受け渡して、同じ経路上で支持して循環させる。そして、一般電線保持バー１０又は連結側電線保持バー２０が受け渡し位置から取り出し位置に移動されると、該取り出し位置で一般電線保持バー１０又は連結側電線保持バー２０を取り出す。
【０１００】
循環機構部９６から取り出した１つ又は複数の一般電線保持バー１０は、そのままの形態で専用の台車等に支持して仮結束工程に供される。
【０１０１】
一方、循環機構部９６から取り出した連結型電線保持バー２０は、連結部３１から一対のミニ電線保持バー２１が外されて取り扱われる。すなわち、連結部３１から一方のミニ電線保持バー２１を外して一対の電線保持バー支持部６０のうちの一方の電線保持バー支持部６０に支持すると共に、他方のミニ電線保持バー２１を外して他方の電線保持バー支持部６０に支持する（図１０参照）。より具体的には、一方のミニ電線保持バー２１を一方の電線保持バー支持部６０に支持して、一対のミニ電線保持バー２１間に架け渡される電線部分を一方の引掛部８０の下方を通して該電線部分の中間部位を中間支持部７０に引っ掛け、さらにその先の部位を他方の引掛部８０の下方に通して、他方のミニ電線保持バー２１を他方の電線保持バー支持部６０に支持する。すなわち、一対のミニ電線保持バー２１と中間支持部７０とにより、複数の端子付き長尺電線７を正面視略Ｗ形状に支持する。そして、中間支持部７０の高さ位置を調節して、一対のミニ電線保持バー２１と中間支持部７０との間に垂れ下がる各Ｕターン部分が各引掛部８０に引っ掛かる状態にする（図１２参照）。
【０１０２】
その後、他の連結型電線保持バー２０を取り出して、電線支持装置５０における複数対の電線保持バー支持部６０の全てにミニ電線保持バー２１を支持して、複数の端子付き長尺電線７を電線支持装置５０に支持する。これにより、端子付き長尺電線７を、電線支持装置５０により支持した状態で仮結束工程に供する。
【０１０３】
なお、上記循環機構部９６から取り出した一般電線保持バー１０及び連結型電線保持バー２０は、仮結束工程の他にも、ツイスト加工等の中間処理工程に供されることもある。
【０１０４】
そして、仮結束工程において、端子付き一般電線５及び端子付き長尺電線７を、一般電線保持バー１０及びミニ電線保持バー２０から取り出して、一緒に結束して仮結束２を作成する（工程（ｃ））。
【０１０５】
電線支持装置５０から端子付き長尺電線７を取り出す際には、その一方の端部を一方のミニ電線保持バー２１の電線保持部２２から取り出して、下方に下ろしつつ（弛みを作りつつ）一方の引掛部８０からＵターン部分を外し（図１２参照）、該一方の端部をコネクタハウジング等にセットする。さらに、端子付き長尺電線７を、中間支持部７０、他方の引掛部８０から順に外し、他方の端部を他方のミニ電線保持バー２１の電線保持部２２から取り出してコネクタハウジング等にセットする。
【０１０６】
この仮結束工程においては、中間処理工程を経て加工された処理電線等も、端子付き一般電線５及び端子付き長尺電線７と一緒に結束されることがある。
【０１０７】
そして、作成された複数の仮結束２をワイヤーハーネス組立工程に供して結束し、ワイヤーハーネス１を組み立てる。このワイヤーハーネス組立工程には、中間処理工程を経て加工された処理電線が供されることもある。
【０１０８】
もっとも、端子付き一般電線５及び端子付き長尺電線７が別の切圧機構部９２で製造され、一般電線保持バー１０及び連結型電線保持バー２０が別の循環機構部９６で循環されてもよい。
【０１０９】
実施形態に係るワイヤーハーネスの製造方法によると、端子付き一般電線５の端部を一般電線保持バー１０の複数の電線保持部１２に取り出す順に個別にセットするため、結束作業を効率良く行うことができる。また、端子付き長尺電線を端子付き一般電線５とは別に取り扱ってその端部を連結型電線保持バー２０の複数の電線保持部２２にセットした後に、端子付き一般電線５及び端子付き長尺電線７を一緒に結束するため、端子付き長尺電線７を絡まりを抑制して取り扱うことができ、端子付き長尺電線７を含む結束作業をスムーズに行うことができる。これにより、ワイヤーハーネス１の製造工程の作業性を向上させることができる。
【０１１０】
また、端子付き長尺電線７の一方の端部を一方のミニ電線保持バー２１における複数の電線保持部２２にセットすると共に、端子付き長尺電線７の他方の端部を他方のミニ電線保持バー２１における複数の電線保持部２２にセットするため、一対のミニ電線保持バー２１間における端子付き長尺電線７の垂れ下がり部分をまとめて支持する等、後工程における端子付き長尺電線７の取り扱いを容易にして、ワイヤーハーネス１の製造工程の作業性をより向上させることができる。
【０１１１】
また、電線支持装置５０は、電線保持部２２に端子付き長尺電線７の端部がセットされた一対のミニ電線保持バー２１が、一対の電線保持バー支持部６０により間隔をあけて支持され、一対のミニ電線保持バー２１に保持される端子付き長尺電線７の中間部位を中間支持部７０に引掛けて支持する。この弧の構成によると、端子付き長尺電線７をＷ形状に支持することができるため、省スペース化を図れると共に、端子付き長尺電線７の垂れ下がりを抑制して絡みを抑制し、ワイヤーハーネス１の製造工程の作業性を向上させることができる。
【０１１２】
また、一対のミニ電線保持バー２１と中間支持部７０との各間で垂れ下がる各Ｕターン部分を一対の引掛部８０にそれぞれ引掛けることにより、垂れ下がり部分同士の絡みを抑制することができる。
【０１１３】
また、引掛部８０が基端部で支持され先端部に向けて下方に傾斜する形状に形成されているため、端子付き長尺電線７のＵターン部分が引掛部８０から外れることを抑制し、ミニ電線保持バー２１の電線保持部２２から端子付き長尺電線７の端部を取り出す際にだけ引掛部８０から外すことができる。
【０１１４】
また、中間支持部７０が高さ調節部７６を有し、高さ位置を調節可能に構成されているため、端子付き長尺電線７の中間部位を支持する高さを調節して端子付き長尺電線７の床への垂れ下がりを抑制することができる。また、各Ｕターン部分が一対の引掛部８０に引掛けられた状態となる位置に中間支持部７０を高さ調節することにより、Ｕターン部分が引掛部８０から外れることをより確実に抑制でき、取り出したい端子付き長尺電線７だけを取り出すことができる。
【０１１５】
また、電線保持バー支持部６０が、電線保持部２２にセットされている端子付き長尺電線７の端部が上方を向くと共に前記端部を水平方向に取り出し可能な姿勢でミニ電線保持バー２１を支持するため、端子付き長尺電線７を取り出しやすい。すなわち、端子付き長尺電線７の端部を側方に取り出せるため、上方に向けて取り出す場合と比較して、Ｕターン部分が引掛部に引っ掛かることを抑制し、Ｕターン部分が引掛部に引掛けられた状態で電線保持バーの電線保持部から端子付き電線の端部を取り出すことができる。
【０１１６】
また、電線保持バー支持部６０が、一対のミニ電線保持バー２１を取り出し方向を同じにして支持すると共に、一対のミニ電線保持バー２１のうち取り出し方向後方側に位置する一方を前方側に位置する他方より高い位置に支持するため、一対のミニ電線保持バー２１のうち一方のミニ電線保持バー２１から端子付き長尺電線７の端部を取り出す際に、他方のミニ電線保持バー２１への干渉を抑制して、端子付き長尺電線７の取り出しをスムーズに行うことができる。
【０１１７】
また、この電線支持装置５０によると、端子付き長尺電線７を、樋状部材の内部に収容すると共に、仮結束作業等において該樋状部材から引き抜き可能に構成された装置と比較して、引き抜き作業を省略できる。このため、引き抜きに伴う端子付き長尺電線７の外部の擦れを抑制することができると共に、端子の引っ掛かりによる変形等も抑制することができる。また、電線支持装置５０は、上記装置と比較して、複数の端子付き長尺電線７の搬送用の巻き形態作成作業、樋状部材への投入作業を省略することができる。
【０１１８】
また、連結型電線保持バー２０は、一対のミニ電線保持バー２１を連結部３１により間隔をあけて直列状に着脱可能連結するため、連結状態においては一般電線保持バー１０と同様に扱うことができる。また、連結解除状態においては一対のミニ電線保持バー２１を別々に取り扱うことができる。すなわち、連結解除状態において、端子付き長尺電線７を、その各端部を一対のミニ電線保持バー２１にそれぞれ保持してその間に垂れ下がる部位を支持等して取り扱うことができる。これにより、端子付き長尺電線７が比較的長尺である場合であっても、床への垂れ下がり、絡み等を抑制して、ワイヤーハーネス１の製造工程の作業性を向上させることができる。
【０１１９】
また、連結部３１が、一対のミニ電線保持バー２１を直列状に支持するレール部３２と、レール部３２の長手方向における一対のミニ電線保持バー２１の各位置を規制する位置決め部３５とを有しているため、一対のミニ電線保持バー２１の連結間隔を位置決め部３５によって調節することができる。そして、全体として一般電線保持バー１０と同じ長さ寸法となるように連結する場合、取り扱いが便利になる。
【０１２０】
また、位置決め部３５が、ミニ電線保持バー２１の係止用凹部２９に係止可能な係止部３７を有しているため、一対のミニ電線保持バー２１の連結状態を確実に維持することができる。
【符号の説明】
【０１２１】
１  ワイヤーハーネス
５  端子付き一般電線
７  端子付き長尺電線
１０  一般電線保持バー
１２  電線保持部
２０  連結型電線保持バー
２１  ミニ電線保持バー
２２  電線保持部
２９  係止用凹部
３１  連結部
３２  レール部
３５  位置決め部
５０、１５０  電線支持装置
６０  電線保持バー支持部
７０  中間支持部
７６  高さ調節部
８０  引掛部
【図１】
0005644697.tif 000002
【図２】
0005644697.tif 000003
【図３】
0005644697.tif 000004
【図４】
0005644697.tif 000005
【図５】
0005644697.tif 000006
【図６】
0005644697.tif 000007
【図７】
0005644697.tif 000008
【図８】
0005644697.tif 000009
【図９】
0005644697.tif 000010
【図１０】
0005644697.tif 000011
【図１１】
0005644697.tif 000012
【図１２】
0005644697.tif 000013
【図１３】
0005644697.tif 000014
【図１４】
0005644697.tif 000015
【図１５】
0005644697.tif 000016